(57)【要約】【課題】プリンタにおいて搬送異常が発生してもリライタブル印字媒体に異常が生じることを抑制する。【解決手段】プリンタ１は、リライタブル印字媒体２００を、発行部１１に向けて搬送路２６に沿って搬送する搬送部２５と、発熱体をリライタブル印字媒体２００に圧接させてリライタブル印字媒体２００の印字を消去する消去部２２と、リライタブル印字媒体２００に熱エネルギーを印加して印字を行う印字部２４と、リライタブル印字媒体２００の搬送に異常が発生したか否かを判定する異常判定手段と、異常判定手段が異常が発生したと判定した場合、消去部２２と搬送部２５とのうちの少なくとも一方に、リライタブル印字媒体２００に対する発熱体の圧接を解除する解除動作を行わせる制御手段と、を備える。【選択図】図３
2011183559.tif 000002
【特許請求の範囲】
【請求項１】
熱エネルギーの印加によって印字の消去と印字とを行えるリライタブル印字媒体を、発行部に向けて搬送路に沿って搬送する搬送部と、
前記搬送路を形成する発熱体を有し、前記発熱体を前記リライタブル印字媒体に圧接させて前記リライタブル印字媒体の印字を消去する消去部と、
前記搬送路における前記消去部と前記発行部との間に配置され、前記リライタブル印字媒体に熱エネルギーを印加して印字を行う印字部と、
前記リライタブル印字媒体の搬送に異常が発生したか否かを判定する異常判定手段と、
前記異常判定手段が異常が発生したと判定した場合、前記消去部と前記搬送部とのうちの少なくとも一方に、前記リライタブル印字媒体に対する前記発熱体の圧接を解除する解除動作を行わせる制御手段と、
を備えることを特徴とするプリンタ。
【請求項２】
前記制御手段は、前記異常判定手段が異常が発生したと判定した場合、前記消去部にリライタブル印字媒体が有るか無いかを判定し、前記消去部にリライタブル印字媒体が有ると判定した場合、前記消去部と前記搬送部とのうちの少なくとも一方に、前記リライタブル印字媒体に対する前記発熱体の圧接を解除する解除動作を行わせることを特徴とする請求項１に記載のプリンタ。
【請求項３】
前記搬送部は、前記搬送路に沿って配置された複数の搬送ローラを有し、
前記制御手段は、前記異常判定手段が異常が発生したと判定した場合、前記消去部と前記発行部との間の搬送路に位置する前記搬送ローラに、前記搬送路中の前記リライタブル印字媒体を前記発行部へ向けて搬送する搬送動作を実行させることを特徴とする請求項１又は２に記載のプリンタ。
【請求項４】
前記消去部は、前記リライタブル印字媒体に前記発熱体を圧接させる圧接部を有し、
前記制御手段は、前記異常判定手段が異常が発生したと判定した場合、前記消去部に、前記圧接部による前記発熱体の圧接動作を解除させることを特徴とする請求項１ないし３のいずれか一項に記載のプリンタ。
【請求項５】
前記圧接部は、前記リライタブル印字媒体から離間する方向に前記発熱体を移動可能に支持しており、
前記制御手段は、前記異常判定手段が異常が発生したと判定した場合、前記圧接部を制御して、前記リライタブル印字媒体から離間する方向に前記発熱体を移動させることを特徴とする請求項４に記載のプリンタ。
【請求項６】
熱エネルギーの印加によって印字の消去と印字とを行えるリライタブル印字媒体を、発行部に向けて搬送路に沿って搬送する搬送部と、前記搬送路を形成する発熱体を有し、前記発熱体を前記リライタブル印字媒体に圧接させて前記リライタブル印字媒体の印字を消去する消去部と、前記搬送路における前記消去部と前記発行部との間に配置され、前記リライタブル印字媒体に熱エネルギーを印加して印字を行う印字部と、を備えるプリンタで実行される発熱体圧接解除方法であって、
異常判定手段が、前記リライタブル印字媒体の搬送に異常が発生したか否かを判定するステップと、
制御手段が、前記異常判定手段が異常が発生したと判定した場合、前記消去部と前記搬送部とのうちの少なくとも一方に、前記リライタブル印字媒体に対する前記発熱体の圧接を解除する解除動作を行わせるステップと、
を含むことを特徴とする発熱体圧接解除方法。
【発明の詳細な説明】
【技術分野】
【０００１】
本発明は、プリンタ及び発熱体圧接解除方法に関する。
【背景技術】
【０００２】
従来、リライタブル用紙等のリライタブル印字媒体に対して熱エネルギーを印加して、そのリライタブル印字媒体に対して印字の消去及び印字を行うプリンタがある。
【０００３】
このプリンタは、リライタブル印字媒体を消去部に搬送し、消去部のヒートローラをリライタブルプリンタに圧接させて、このヒートローラによってリライタブル印字媒体を加熱してリライタブル印字媒体の印字の消去を行う。そして、プリンタは、印字の消去を行ったリライタブル印字媒体を印字部へ搬送して、印字部のサーマルヘッドによってリライタブル印字媒体へ印字を行う。このプリンタは、あるリライタブル印字媒体に印字を行っている時に、続いて印字対象となるリライタブル印字媒体の印字を消去しつつ待機させることで、リライタブル印字媒体への処理の高速化を図っている。
【０００４】
したがって、印字対象のリライタブル印字媒体によるジャムが発生してしまうと、消去対象のリライタブル印字媒体にも影響が及び、消去対象のリライタブル印字媒体に対する搬送動作や消去動作も停止することになる。
【０００５】
ここで、特許文献１には、トナーを用いてシートに情報を印字するプリンタにおけるジャムが発生した後の動作の一例が記載されている。
【発明の概要】
【発明が解決しようとする課題】
【０００６】
しかしながら、このジャムの状態で、消去動作を停止して、ヒートローラの発熱を停止しても、消去部に停留しているリライタブル印字媒体に、ヒートローラに蓄えられた熱が伝わる。消去部への滞留時間が長引くと、大量に伝わった熱によってリライタブル印字媒体が異常に湾曲して変形してしまうという問題がある。特許文献１には、この問題への解決法は記載されていない。
【０００７】
本発明は、上記に鑑みてなされたものであって、プリンタにおいて搬送異常が発生してもリライタブル印字媒体に異常が生じることを抑制できるようにすることを目的とする。
【課題を解決するための手段】
【０００８】
上述した課題を解決し、目的を達成するために、本発明のプリンタは、熱エネルギーの印加によって印字の消去と印字とを行えるリライタブル印字媒体を、発行部に向けて搬送路に沿って搬送する搬送部と、前記搬送路を形成する発熱体を有し、前記発熱体を前記リライタブル印字媒体に圧接させて前記リライタブル印字媒体の印字を消去する消去部と、前記搬送路における前記消去部と前記発行部との間に配置され、前記リライタブル印字媒体に熱エネルギーを印加して印字を行う印字部と、前記リライタブル印字媒体の搬送に異常が発生したか否かを判定する異常判定手段と、前記異常判定手段が異常が発生したと判定した場合、前記消去部と前記搬送部とのうちの少なくとも一方に、前記リライタブル印字媒体に対する前記発熱体の圧接を解除する解除動作を行わせる制御手段と、を備えることを特徴とする。
【０００９】
また、本発明の発熱体圧接解除方法は、熱エネルギーの印加によって印字の消去と印字とを行えるリライタブル印字媒体を、発行部に向けて搬送路に沿って搬送する搬送部と、前記搬送路を形成する発熱体を有し、前記発熱体を前記リライタブル印字媒体に圧接させて前記リライタブル印字媒体の印字を消去する消去部と、前記搬送路における前記消去部と前記発行部との間に配置され、前記リライタブル印字媒体に熱エネルギーを印加して印字を行う印字部と、を備えるプリンタで実行される発熱体圧接解除方法であって、異常判定手段が、前記リライタブル印字媒体の搬送に異常が発生したか否かを判定するステップと、制御手段が、前記異常判定手段が異常が発生したと判定した場合、前記消去部と前記搬送部とのうちの少なくとも一方に、前記リライタブル印字媒体に対する前記発熱体の圧接を解除する解除動作を行わせるステップと、を含むことを特徴とする。
【発明の効果】
【００１０】
本発明によれば、プリンタにおいて搬送異常が発生してもリライタブル印字媒体に異常が生じることを抑制できる。
【図面の簡単な説明】
【００１１】
【図１】図１は、本発明の第１の実施の形態のプリンタの外観を示す斜視図である。
【図２】図２は、リライタブル印字媒体を示す平面図である。
【図３】図３は、プリンタを示す縦断側面図である。
【図４】図４は、消去部を示す側面図である。
【図５】図５は、プリンタの電装系を示すブロック図である。
【図６】図６は、ＣＰＵが行う処理の流れを示すフローチャートである。
【図７】図７は、本発明の第２の実施に形態に係るＣＰＵが行う処理の流れを示すフローチャートである。
【発明を実施するための形態】
【００１２】
以下、図面を参照して、本発明の実施の形態について詳細に説明する。なお、以下の複数の実施の形態には、同様の構成要素が含まれている。よって、以下では、それら同様の構成要素には共通の符号を付与するとともに、重複する説明を省略する。
【００１３】
（第１の実施の形態）
まずは、本発明の第１の実施の形態を図１ないし図６に基づいて説明する。
図１に示すプリンタ１は、図２に示すリライタブル印字媒体２００に印字を行って発行する。
【００１４】
ここで、リライタブル印字媒体２００は、熱エネルギーの印加によって印字の消去と印字とを行えるものである。詳しくは、リライタブル印字媒体２００は、図２に示すように、平面視で矩形状をなした単票である。リライタブル印字媒体２００は、例えば樹脂製の基体２００ａとこの基体２００ａに内蔵された無線チップ２００ｂとを有している。基体２００ａには、ロイコ染料や顕色剤等を含む可逆性感熱記録層が設けられている。可逆性感熱記録層は、過熱後の急冷によって印字内容が定着し、過熱後の序冷によって印字内容が消去するといいう特性を有する。無線チップは、本実施の形態では、ＲＦＩＤ（Radio Frequency Identification）チップである。
【００１５】
プリンタ１は、図１に示すように、筐体１０を備え、この筐体１０の正面壁には、リライタブル印字媒体２００を発行する発行部１１が設けられている。発行部１１は、筐体に形成された開口によって形成されている。また、筐体１０の正面壁には、液晶表示器等の表示器１２と、各種のボタンを有する操作パネル１３と、が配置されている。この筐体１０は、本体部１０ａとこの本体部１０ａに対して回動による開閉可能に連結された複数のカバー部１０ｂとを有しており、カバー部１０ｂを開けることで筐体１０の内部が露出する。
【００１６】
図３に示すように、プリンタ１は、筐体１０の内部に、複数枚のリライタブル印字媒体２００を積層収納する媒体収納部２０と、媒体収納部２０からリライタブル印字媒体２００を一枚ずつ取り出す給紙部２１と、リライタブル印字媒体２００を加熱して印字の消去を行う消去部２２と、リライタブル印字媒体２００の無線チップ２００ｂとの間で無線通信を実行する無線リーダライタ２３と、リライタブル印字媒体２００を加熱して印字を行う印字部２４と、を備えている。また、プリンタ１は、リライタブル印字媒体２００を媒体収納部２０から発行部１１へ搬送する搬送部２５を備えている。そして、給紙部２１、搬送部２５、給紙部２１、消去部２２、印字部２４等によって、媒体収納部２０から発行部１１へ到る搬送路２６が形成されている。ここで、搬送路２６において、媒体収納部２０側を上流側と呼び、発行部１１側を下流側と呼ぶ。また、印字部２４の下方には、リジェクト集積部２７が設けられている。また、プリンタ１は、プリンタ１の各部を制御する制御部２８（図５）を有する。
【００１７】
媒体収納部２０は、昇降自在に設けられたリフタ３１を有している。リフタ３１は、複数枚のリライタブル印字媒体２００を積層状態で載置支持可能である。リフタ３１は、昇降ベルト３２に連結されている。昇降ベルト３２は、２つのプーリ３３に掛け渡されている。プーリ３３は、昇降用モータ３４（図５参照）に連結されており、昇降用モータ３４の駆動により回転する。この構造では、昇降用モータ３４の駆動力によってプーリ３３が回転することで、昇降ベルト３２が搬送されリフタ３１が昇降する。このとき、昇降用モータ３４の回転方向に応じて、リフタ３１が昇降する。
【００１８】
給紙部２１は、媒体収納部２０の上方に配置されている。給紙部２１は、リフタ３１に載置されている最上部のリライタブル印字媒体２００を一枚ずつ搬送部２５に給送するものである。
【００１９】
給紙部２１は、媒体収納部２０の上方に配置されたピックアップローラ４１と、このピックアップローラ４１の下流側に配置されたフォワードローラ４２及びリタードローラ４３と、を有する。ピックアップローラ４１、フォワードローラ４２、リタードローラ４３は、ギア列（図示せず）を介して、給紙用モータ４４（図５参照）に連結されており、給紙用モータ４４の駆動力を受けて回転する。
【００２０】
ピックアップローラ４１は、媒体収納部２０に収納されたリライタブル印字媒体２００のうち最上部に位置するリライタブル印字媒体２００を搬送路２６の下流側に向けて送り出す。フォワードローラ４２は、リタードローラ４３の下方に配置されて、リタードローラ４３と対向している。フォワードローラ４２は、搬送路の底面を構成している。フォワードローラ４２は、ピックアップローラ４１によって送り出されたリライタブル印字媒体２００を搬送路２６の下流側に押し進める向きに回転する。リタードローラ４３は、２枚重ねて同時に出されてしまったリライタブル印字媒体２００のうちの上側のリライタブル印字媒体２００を媒体収納部２０に押し戻す向きに回転する。
【００２１】
搬送部２５は、リライタブル印字媒体２００を発行部１１に向けて搬送路２６に沿って搬送するものである。搬送部２５は、搬送路２６に沿って配置された複数のローラ対５１を有する。複数のローラ対５１としては、第１のローラ対５１Ａ、第２のローラ対５１Ｂ、第３のローラ対５１Ｃ、第４のローラ対５１Ｄがある。なお、第１ないし第４のローラ対５１Ａ，５１Ｂ，５１Ｃ，５１Ｄを特段に区別して説明しない場合には、以後においてもそれらを単にローラ対５１として説明する。
【００２２】
各ローラ対５１は、給紙部２１、消去部２２、無線リーダライタ２３、印字部２４及び発行部１１の間に適宜配置されている。第１のローラ対５１Ａは、給紙部２１と消去部２２との間に配置されており、第２ないし第４のローラ対５１Ｂ，５１Ｃ，５１Ｄは、消去部２２と印字部２４との間に配置されている。
【００２３】
各ローラ対５１は、搬送ローラ５２と従動ローラ５３とを有する。搬送ローラ５２は、搬送路２６の底面を形成する。従動ローラ５３は、搬送ローラ５２の上方に配置されて、搬送路２６の上面を形成する。第１のローラ対５１Ａの搬送ローラ５２は、ギヤ列を介して第１の搬送用モータ５４（図５参照）に連結され、第２ないし第４のローラ対５１Ｂ，５１Ｃ，５１Ｄは、第２の搬送用モータ５５（図５参照）に連結されている。第１及び第２の搬送用モータ５５は、例えばステッピングモータである。従動ローラ５３は、リライタブル印字媒体２００の厚みに応じて搬送ローラ５２との距離を調整可能に設けられているとともに、搬送ローラ５２に向けて図示しない付勢部材によって付勢されている。従動ローラ５３は、搬送ローラ５２に従動する。この搬送部２５では、第２及び第３の搬送用モータ５４，５５の駆動力によって搬送ローラ５２が回転することで、搬送ローラ５２と従動ローラ５３とがリライタブル印字媒体２００を挟持して搬送する。
【００２４】
消去部２２は、図３に示すように、相互に対向配置され搬送路２６を形成するヒートローラ６１と対向ローラ６２とを有する。消去部２２は、ヒートローラ６１をリライタブル印字媒体２００に圧接させてリライタブル印字媒体２００の印字を消去する。ヒートローラ６１は、熱源を有した発熱体である。ヒートローラ６１は、発熱することで、リライタブル印字媒体２００に、リライタブル印字媒体２００の印字消去に必要な熱エネルギーを印加する。リライタブル印字媒体２００は、熱エネルギーが加えられた後、序冷される。その結果、リライタブル印字媒体２００の印字内容が消える。
【００２５】
ヒートローラ６１は、第１の搬送用モータ５４に連結されており、第１の搬送用モータ５４の駆動力を受けて回転し、リライタブル印字媒体２００を発行部１１へ向けて搬送する。このヒートローラ６１は、搬送部２５を構成している。
【００２６】
対向ローラ６２は、ヒートローラ６１と対向配置されリライタブル印字媒体２００をヒートローラ６１とによって挟持する。詳細には、対向ローラ６２は、ヒートローラ６１の下方に配置されている。対向ローラ６２は、支軸７２に軸支されている。対向ローラ６２を軸支した支軸７２は、規定の範囲内でヒートローラ６１に対する接離方向で移動可能に筐体１０に取り付けられている。そして、この支軸７２がヒートローラ６１に向けて付勢手段であるスプリング７１によって付勢されており、これにより、スプリング７１が、ヒートローラ６１を対向ローラ６２に向けて付勢している。このスプリング７１の付勢力によって、対向ローラ６２とヒートローラ６１とが相互に圧接し、それらの間にリライタブル印字媒体２００がある場合には、対向ローラ６２とヒートローラ６１とがリライタブル印字媒体２００を挟持する。この対向ローラ６２は、ヒートローラ６１に従動して回転する。
【００２７】
また、消去部２２は、図４に示すように、リライタブル印字媒体２００にヒートローラ６１を圧接させる圧接部としての支持機構６３を有する。支持機構６３は、リライタブル印字媒体２００から離間する方向にヒートローラ６１を移動可能に支持している。即ち、支持機構６３は、対向ローラ６２から離間する方向にヒートローラ６１を移動可能に支持している。
【００２８】
支持機構６３は、詳細には、ヒートローラ６１が設けられた移動体６４と、ヒートローラ６１がリライタブル印字媒体２００に圧接する圧接位置（以後、初期位置ともいう）とヒートローラ６１がリライタブル印字媒体２００を圧接しない位置（以後、退避位置ともいう）との間で移動体６４を移動させる駆動部としての第１のソレノイド６５を有する。ここで、ヒートローラ６１と対向ローラ６２との間にリライタブル印字媒体２００が介在していない場合、初期位置のヒートローラ６１は、対向ローラ６２に圧接し、退避位置に位置したヒートローラ６１は、対向ローラ６２から離間している。また、ヒートローラ６１が圧接位置に位置した状態では、対向ローラ６２は、スプリング７１によって上方へ付勢された状態でロック部材（図示せず）によって上方への移動を阻止された状態となっており、位置決めがされている。
【００２９】
移動体６４は、ヒートローラ６１を回転可能に支持しているフレーム６６を有する。フレーム６６は、詳細には、ヒートローラ６１に挿通されてヒートローラ６１に固定された回転軸６７を軸支しており、回転軸６７を介してヒートローラ６１を支持している。そして、第１のソレノイド６５のソレノイドピン６５ａにフレーム６６が固定されている。かかる構造では、第１のソレノイド６５に通電がなされていない状態では、ソレノイドピン６５ａは、初期位置に位置しており、フレーム６６とともにヒートローラ６１が初期位置に位置する。このとき、ヒートローラ６１は、対向ローラ６２と圧接している。これにより、ヒートローラ６１と対向ローラ６２との間に搬送されたリライタブル印字媒体２００がヒートローラ６１によって押圧された状態となる。即ち、ヒートローラ６１がリライタブル印字媒体２００に圧接している状態となる。一方、制御部２８の制御によって第１のソレノイド６５に通電がなされると、第１のソレノイド６５は、ソレノイドピン６５ａを上方へ移動させて、フレーム６６とともにヒートローラ６１を初期位置から退避位置へ移動させる。これにより、ヒートローラ６１が、対向ローラ６２から離間する。この際、ヒートローラ６１と対向ローラ６２との間にリライタブル印字媒体２００が介在している場合には、ヒートローラ６１は、リライタブル印字媒体２００からも離間した状態となる。
【００３０】
また、回転軸６７には、第１のギヤ６８が固定されており、この第１のギヤ６８は、フレーム６６に回転可能に支持された第２のギヤ６９と噛み合っている。第２のギヤ６９は、筐体１０に回転可能に支持された第３のギヤ７０と噛み合う。第３のギヤ７０は、図示しない他のギヤを介して第１の搬送用モータ５４に連結されている。したがって、第１の搬送用モータ５４の駆動力が、第３のギヤ７０、第２のギヤ６９、第１のギヤ６８を介してヒートローラ６１に伝達される。この構造では、第１のソレノイド６５が、フレーム６６とともにヒートローラ６１を移動させると、第１及び第２のギヤ６８，６９がフレーム６６と一体となって移動する。そして、ヒートローラ６１が初期位置から退避位置に移動した場合、第２のギヤ６９が第３のギヤ７０から離間し、ヒートローラ６１が退避位置から初期位置へ移動した場合、第２のギヤ６９が第３のギヤ７０に噛み合う。
【００３１】
無線リーダライタ２３は、図３に示すように、消去部２２と印字部２４との間において搬送路２６の上方に配置されたアンテナ８１と、このアンテナ８１に接続された無線制御回路８２（図５参照）と、を有し、リライタブル印字媒体２００の無線チップ２００ｂとの間で無線通信を実行する。この無線は、例えばＲＦＩＤで用いられる近距離無線通信用の電波を用いて行われる。詳しくは、アンテナ８１は、下方（搬送路２６）に向けて例えばＵＨＦ帯の電波を出力し、リライタブル印字媒体２００の無線チップ２００ｂとの近距離無線通信を実行する。無線制御回路８２は、制御部２８の制御を受けて、アンテナ８１から電波を出力し、印字データに含まれている書込データを無線チップ２００ｂに書き込む。また、無線制御回路８２は、制御部２８の制御を受けて、アンテナ８１で受信された無線チップ２００ｂからの電波に基づく情報をＣＰＵ１３１に出力することも行う。
【００３２】
印字部２４は、搬送路２６における消去部２２と発行部１１との間に配置され、リライタブル印字媒体２００に熱エネルギーを印加して印字を行う。印字部２４は、サーマルヘッド９１とプラテンローラ９２とを有する。サーマルヘッド９１は、発熱素子（図示せず）を有する。サーマルヘッド９１は、発熱素子によって、リライタブル印字媒体２００に印字可能な熱エネルギーを、搬送路２６中のリライタブル印字媒体２００に印加する。サーマルヘッド９１による熱エネルギー印加の終了後、リライタブル印字媒体２００は、急冷される。その結果、リライタブル印字媒体２００への印字が定着する。プラテンローラ９２は、第２の搬送用モータ５５の駆動力を受けて回転して、リライタブル印字媒体２００を支持しながら発行部１１へ向けて送り出す。このプラテンローラ９２は、搬送部２５を構成している。
【００３３】
ハウジング１０３の内部であってアンテナ８１の上方には、媒体ストッパ１００が配置されている。媒体ストッパ１００は、アンテナ８１の下流側において搬送路２６を遮断する遮断位置（図３において実線で示す）と、搬送路２６を開放する開放位置（図３において一点鎖線で示す）との間で回動可能に設けられている。媒体ストッパ１００は、スプリング（図示せず）によって、遮断位置から解放位置へ向けて付勢されており、開放位置で当接部材と当接して位置決めされる。また、媒体ストッパ１００は、カム機構を介してストッパ用モータ１０１（図５参照）に連結されている。媒体ストッパ１００は、ストッパ用モータ１０１に駆動されたカム機構に押圧されて開放位置から遮断位置へ移動する。また、媒体ストッパ１００は、カム機構による押圧が解除されると、スプリングの付勢力によって遮断位置から開放位置へ戻る。媒体ストッパ１００が遮断位置に位置する状態では、搬送路２６を搬送されるリライタブル印字媒体２００の下流側端が、媒体ストッパ１００に突き当たり、これにより、リライタブル印字媒体２００は停止する。このように媒体ストッパ１００によってリライタブル印字媒体２００が停止すると、リライタブル印字媒体２００内の無線チップ２００ｂは通信位置に位置付けられてアンテナ８１から出力される電波を確実に受けることができるようになり、無線リーダライタ２３との近距離無線通信が確実に行えるようになる。
【００３４】
また、搬送路２６における無線リーダライタ２３と印字部２４との間には、切替部としてのリジェクトゲート１１０が設けられている。リジェクトゲート１１０は、リライタブル印字媒体２００を印字部２４へ案内する第１の位置（図３のおいて実線で示す）と、リジェクト集積部２７へ落下させる第２の位置（図において一点鎖線で示す）との間で可動可能に設けられている。このリジェクトゲート１１０は、連結機構（図示せず）を介して第２のソレノイド１１１（図５参照）に連結されている。リジェクトゲート１１０は、第２のソレノイド１１１が通電されていない状態では、第１の位置に位置付けられている一方、第２のソレノイド１１１が通電されると、第２のソレノイド１１１によって第２の位置に移動される。
【００３５】
また、プリンタ１は、筐体１０内に、搬送路２６中のリライタブル印字媒体２００を検出する媒体検出センサ１２１Ａ，１２１Ｂ，１２１Ｃとしての第１ないし第３の媒体検出センサ１２１Ａ，１２１Ｂ，１２１Ｃを備えている。
【００３６】
第１の媒体検出センサ１２１Ａは、給紙部２１と消去部２２との間に配置されている。詳しくは、第１の媒体検出センサ１２１Ａは、給紙部２１と第１のローラ対５１Ａとの間に配置されている。第２の媒体検出センサ１２１Ｂは、消去部２２と無線リーダライタ２３のアンテナ８１との間に配置されている。詳しくは、第２の媒体検出センサ１２１Ｂは、消去部２２の下流側で消去部２２の周囲に配置されている。別の言い方をすると、第２の媒体検出センサ１２１Ｂは、消去部２２の下流側で消去部２２の近傍に配置されている。第３の媒体検出センサ１２１Ｃは、無線リーダライタ２３のアンテナ８１と印字部２４との間に配置されている。各媒体検出センサ１２１Ａ，１２１Ｂ，１２１Ｃは、検出光を用いてリライタブル印字媒体２００を検出するものであり、透過型や反射型のセンサである。ここでは、第１ないし第３の媒体検出センサ１２１Ａ，１２１Ｂ，１２１Ｃが反射型の場合を説明する。第１ないし第３の媒体検出センサ１２１Ａ，１２１Ｂ，１２１Ｃは、搬送路２６に向けて検出光を出力し、搬送路２６を搬送されるリライタブル印字媒体２００に反射した検出光を受光する。制御部２８は、媒体検出センサ１２１Ａ，１２１Ｂ，１２１Ｃが出力する電気信号に基づいて、搬送路２６上のリライタブル印字媒体２００の有無を判定する。
【００３７】
図５に示すように、制御部２８は、各種演算やプリンタ１の各部を集中的に制御するＣＰＵ（Central Processing Unit）１３１、各種プログラムや各種データを記憶するＲＯＭ（Read Only Memory）１３２、各種プログラムを一時的に記憶したり各種データを書き換え自在に記憶するＲＡＭ（Random Access Memory）１３３及び日時を計時する時計部１３４を有する。ＣＰＵ１３１には、ＲＯＭ１３２、ＲＡＭ１３３、時計部１３４がバス１３５によって接続されている。また、ＣＰＵ１３１には、バス１３５を介して通信インタフェース（図面では、通信Ｉ／Ｆ）１３６が接続されており、プリンタ１は、通信インタフェース１３６を介してホスト装置等の外部装置（図示せず）との通信が可能となっている。
【００３８】
また、ＣＰＵ１３１には、バス１３５及び各種の入出力回路を介して、表示器１２、操作パネル１３、ヒートローラ６１、無線リーダライタ２３、昇降用モータ３４、給紙用モータ４４、第１及び第２の搬送用モータ５４，５５、ストッパ用モータ１０１、第１及び第２のソレノイド６５，１１１、サーマルヘッド９１、第１ないし第３の媒体検出センサ１２１Ａ，１２１Ｂ，１２１Ｃ等が接続されている。
【００３９】
以上の構成のプリンタ１は、給紙部２１がリライタブル印字媒体２００を搬送路２６へ送り出し、搬送路２６へ送り出されたリライタブル印字媒体２００を搬送部２５が発行部１１へ向けて搬送する。このリライタブル印字媒体２００の搬送過程で、消去部２２がリライタブル印字媒体２００になされている印字を消去する。次に、媒体ストッパ１００がリライタブル印字媒体２００を位置決めした状態で、無線リーダライタ２３がリライタブル印字媒体２００の無線チップ２００ｂと無線通信を実行し、例えば無線チップ２００ｂに情報を書き込む。次に、印字部２４が、リライタブル印字媒体２００に情報の印字を行い、印字済みのリライタブル印字媒体２００を発行部１１から発行する。この際、プリンタ１は、印字部２４でリライタブル印字媒体２００に印字をするとともに、続いて印字対象となるリライタブル印字媒体２００に既になされている印字を消去部２２で消去する。即ち、プリンタ１は、複数枚のリライタブル印字媒体２００を搬送路２６に沿って搬送して各種の処理を施す。このような処理を実行するプリンタ１では、ある処理を施されているリライタブル印字媒体２００や搬送路２６中に待機したリライタブル印字媒体２００が存在する。
【００４０】
次に、ＣＰＵ１３１がプログラムに従って実行する圧接解除処理を説明する。この圧接解除処理は、プリンタ１内でジャム等によってリライタブル印字媒体２００の搬送不良が発生した場合、リライタブル印字媒体２００に対するヒートローラ６１の圧接を解除するものであり、この処理によって発熱体圧接解除方法が実行される。この処理で、ＣＰＵ１３１は、プログラムに従うことにより、図５に示すように、異常判定手段１５１と制御手段１５２とを機能部として実現する。
【００４１】
異常判定手段１５１は、第１ないし第３の媒体検出センサ１２１Ａ，１２１Ｂ，１２１Ｃの検出結果を用いて、リライタブル印字媒体２００の搬送に異常が発生したか否かを判定するものである。
【００４２】
制御手段１５２は、異常判定手段１５１が異常が発生したと判定した場合、搬送部２５に、リライタブル印字媒体２００に対するヒートローラ６１の圧接を解除する解除動作としてリライタブル印字媒体２００の強制排出動作を行わせるものである。詳細には、制御手段１５２は、異常判定手段１５１が異常が発生したと判定した場合、媒体検出センサ１２１Ａ，１２１Ｂ，１２１Ｃの検出結果を用いて消去部２２にリライタブル印字媒体２００が有るか無いかを判定し、消去部２２にリライタブル印字媒体２００が有ると判定した場合、搬送部２５に、リライタブル印字媒体２００に対するヒートローラ６１の圧接を解除する解除動作としてリライタブル印字媒体の強制排出動作を行わせる。強制排出動作は、消去部２２と発行部１１との間の搬送路２６に位置する搬送ローラ５２が、搬送路２６中のリライタブル印字媒体２００を発行部１１へ向けて搬送する動作である。なお、制御手段１５２は、異常判定手段１５１が異常が発生したと判定しない場合、リライタブル印字媒体２００に対するヒートローラ６１の圧接を解除する解除動作を搬送部２５に行わせない。
【００４３】
次に、圧接解除処理の流れを図６に示すフローチャートに沿って説明する。ＣＰＵ１３１は、リライタブル印字媒体２００の消去や印字などの各種処理を行っている際に、搬送部２５によるリライタブル印字媒体２００の搬送に関する情報状況を取得する（ステップＳ１）。詳細には、ステップＳ１でＣＰＵ１３１は、各媒体検出センサ１２１Ａ，１２１Ｂ，１２１Ｃからの出力を受信する。
【００４４】
そして、ＣＰＵ１３１は、搬送部２５によるリライタブル印字媒体２００の搬送に異常が発生しているか否かを判定する（ステップＳ２：異常判定手段）。この判定は、例えば、第１の媒体検出センサ１２１Ａを通過したリライタブル印字媒体２００が、規定時間後に第２の媒体検出センサ１２１Ｂを通過したか否かや、第２の媒体検出センサ１２１Ｂを通過したリライタブル印字媒体２００が規定時間後に第３の媒体検出センサ１２１Ｃを通過したか否かを判定することにより行われる。この場合、第１の媒体検出センサ１２１Ａを通過したリライタブル印字媒体２００が、規定時間後に第２の媒体検出センサ１２１Ｂを通過した場合や、第２の媒体検出センサ１２１Ｂを通過したリライタブル印字媒体２００が規定時間後に第３の媒体検出センサ１２１Ｃを通過した場合は、リライタブル印字媒体２００の搬送が正常であると判定する。一方、ＣＰＵ１３１は、第１の媒体検出センサ１２１Ａを通過したリライタブル印字媒体２００が、規定時間が経過しても第２の媒体検出センサ１２１Ｂを通過しない場合や、第２の媒体検出センサ１２１Ｂを通過したリライタブル印字媒体２００が規定時間が経過しても第３の媒体検出センサ１２１Ｃを通過しない場合等には、リライタブル印字媒体２００の搬送に異常が生じたと判定する。ステップ１及びステップＳ２の処理は、規定時間毎に繰り返し実行される（ステップＳ２のＮｏ）。
【００４５】
そして、ＣＰＵ１３１は、搬送部２５によるリライタブル印字媒体２００の搬送に異常が発生したと判定した場合（ステップＳ２のＹｅｓ）、消去部２２及びその近傍にリライタブル印字媒体２００が有るか無いかを判定する（ステップＳ３）。詳細には、ＣＰＵ１３１は、第１の媒体検出センサ１２１Ａを通過し、且つ第２の媒体検出センサ１２１Ｂを通過していないリライタブル印字媒体２００が有るか否かを、ステップＳ１で取得した第１及び第２の媒体検出センサ１２１Ａ，１２１Ｂの出力信号を用いて判定する。
【００４６】
そして、ＣＰＵ１３１は、消去部２２にリライタブル印字媒体２００が有ると判定した場合（ステップＳ３のＹｅｓ）、消去部２２から下流の搬送路２６中のリライタブル印字媒体２００を強制排出するために、搬送部２５に強制排出動作を行わせる（ステップＳ４）。詳細には、ＣＰＵ１３１は、全てのローラ対５１、ヒートローラ６１及びプラテンローラ９２を規定時間だけ正転させる。このとき、例えば、搬送部２５のスリップが原因で搬送不良が発生していた場合等では、搬送部２５の強制排出動作によって、スリップが解消されることで搬送不良が解消され、リライタブル印字媒体２００を発行部１１から強制排出することができる。即ち、ヒートローラ６１に圧接されていたリライタブル印字媒体２００をヒートローラ６１から離間させることがきる。そして、ＣＰＵ１３１は、ステップＳ５に進む。また、ＣＰＵ１３１は、ステップＳ３で、消去部２２にリライタブル印字媒体２００が無いと判定した場合（ステップＳ３のＮｏ）にも、ステップＳ５に進む。
【００４７】
そして、ステップＳ５では、ＣＰＵ１３１は、リライタブル印字媒体２００の搬送異常が発生した旨のエラー情報を表示器１２に表示させる。
【００４８】
以上説明したように、本実施の形態では、異常判定手段１５１が異常が発生したと判定した場合、制御手段１５２が、搬送部２５に、リライタブル印字媒体２００に対するヒートローラ６１の圧接を解除する解除動作として強制排出動作を行わせる。したがって、例えばプリンタ１において搬送ローラ５２のスリップによる搬送異常が発生した場合、搬送部２５の強制排出動作によって、スリップを解消させることができ、リライタブル印字媒体２００を強制排出することができる。これにより、リライタブル印字媒体２００にヒートローラ６１の熱が大量に伝わることを抑制することができるので、リライタブル印字媒体が異常に湾曲して変形することを抑制することができる。また、このように、リライタブル印字媒体２００にヒートローラ６１の熱が大量に伝わることを抑制することができるので、リライタブル印字媒体がヒートローラ６１から大量の熱を受けて異常な発色をすることも抑制することができる。ここで、本実施の形態では、リライタブル印字媒体２００は、無線チップ２００ｂを有するので、比較的高価なものであり、上記の通りリライタブル印字媒体２００に異常が生じることを抑制できることで、プリンタ１のランニングコストが増加することを抑制することができる。
【００４９】
また、本実施の形態では、制御手段１５２は、異常判定手段１５１が異常が発生したと判定した場合、媒体検出センサ１２１Ａ，１２１Ｂ，１２１Ｃの検出結果を用いて消去部２２にリライタブル印字媒体２００が有るか無いかを判定し、消去部２２にリライタブル印字媒体２００が有ると判定した場合、搬送部２５に、リライタブル印字媒体２００に対するヒートローラ６１の圧接を解除する解除動作として強制排出動作を行わせる。したがって、プリンタ１において搬送異常が発生してもリライタブル印字媒体２００に異常が生じることを効率的に抑制できる。
【００５０】
また、本実施の形態では、搬送部２５は、搬送路２６に沿って配置された複数の搬送ローラ５２を有する。そして、制御手段１５２は、異常判定手段１５１が異常が発生したと判定した場合、消去部２２と発行部１１との間の搬送路２６に位置する搬送ローラ５２に、搬送路２６中のリライタブル印字媒体２００を発行部１１へ向けて搬送する搬送動作を実行させる。したがって、搬送ローラ５２の搬送動作（強制排出動作）によって、リライタブル印字媒体２００を発行部から排出することで、リライタブル印字媒体２００に異常が生じることを抑制できる。
【００５１】
（第２の実施の形態）
次に、本発明の第２の実施の形態を図７に基づいて説明する。
【００５２】
本実施の形態は、ＣＰＵ１３１が実行する圧接解除処理が第１の実施の形態に対して異なる。本実施の形態では、制御手段１５２（図５参照）は、異常判定手段１５１（図５参照）が異常が発生したと判定した場合、搬送部２５に加えて、圧接部としての支持機構６３にも、リライタブル印字媒体２００に対するヒートローラ６１の圧接を解除する解除動作を行わせる。支持機構６３が行うリライタブル印字媒体２００に対するヒートローラ６１の圧接を解除する解除動作は、支持機構６３が、リライタブル印字媒体２００から離間する方向にヒートローラ６１を移動させる熱源退避動作である。
【００５３】
この処理を図７のフローチャートに基づいて説明する。図７のフローチャートは、図６のフローチャートに対してステップＳ１１，Ｓ１２を加えたものであり、ステップＳ１，Ｓ２，Ｓ３，Ｓ４，Ｓ５の処理内容は、図６のフローチャートのものと同じであるので、その説明は省略する。本実施の形態では、ＣＰＵ１３１は、図７のフローチャートに示すように、ステップＳ４の後に、搬送路２６中にリライタブル印字媒体２００が残留しているか否かを判定する（ステップＳ１１）。ＣＰＵ１３１は、この判定を、第１ないし第３の媒体検出センサ１２１Ａ，１２１Ｂ，１２１Ｃの出力信号を用いて行う。詳細には、第１の及び第２の媒体検出センサ１２１Ａ，１２１Ｂを通過したリライタブル印字媒体２００が第３の媒体検出センサ１２１Ｃを通過したか否かで判定する。ＣＰＵ１３１は、第１及び第２の媒体検出センサ１２１Ａ，１２１Ｂを通過したリライタブル印字媒体２００が第３の媒体検出センサ１２１Ｃを通過したと判定した場合には、リライタブル印字媒体２００が搬送路２６に残留していないと判定する。一方、ＣＰＵ１３１は、第１及び第２の媒体検出センサ１２１Ａ，１２１Ｂを通過したリライタブル印字媒体２００が第３の媒体検出センサ１２１Ｃを通過していないと判定した場合には、搬送路２６に残留しているリライタブル印字媒体２００があると判定する。
【００５４】
ＣＰＵ１３１は、リライタブル印字媒体２００が搬送路２６中に残留していると判定した場合（ステップＳ１１のＹｅｓ）、支持機構６３によるリライタブル印字媒体２００への圧接動作を解除させる（ステップＳ１２）。詳細には、ＣＰＵ１３１は、第１のソレノイド６５に通電して、ヒートローラ６１を初期位置から退避位置へ移動させる。これにより、ヒートローラ６１によるリライタブル印字媒体２００への圧接が行われている場合であっても、リライタブル印字媒体２００がヒートローラ６１から離間して、その圧接が解除される。そして、ＣＰＵ１３１は、ステップＳ５に進む。一方、ＣＰＵ１３１は、リライタブル印字媒体２００が搬送路２６中に残留していないと判定した場合（ステップＳ１１のＮｏ）、ステップＳ１２の処理をせずに、ステップＳ５に進む。なお、制御手段１５２は、異常判定手段１５１が異常が発生したと判定しない場合、搬送部２５と消去部２２との両方に、リライタブル印字媒体２００に対するヒートローラ６１の圧接を解除する解除動作を行わせない。即ち、搬送部２５は、強制排出動作をせず、消去部２２は、熱源退避動作を行わない。
【００５５】
以上説明したように、本実施の形態では、圧接部である支持機構６３は、リライタブル印字媒体２００から離間する方向にヒートローラ６１を移動可能に支持している。そして、制御手段１５２は、異常判定手段１５１が異常が発生したと判定した場合、支持機構６３を制御して、リライタブル印字媒体２００から離間する方向にヒートローラ６１を移動させる。したがって、リライタブル印字媒体２００に、ヒートローラ６１の熱が大量に伝わることを抑制することができるので、リライタブル印字媒体が異常に湾曲して変形することを抑制することができる。つまり、本実施の形態によれば、プリンタ１において搬送異常が発生してもリライタブル印字媒体２００に異常が生じることを抑制できる。
【００５６】
また、本実施の形態では、支持機構６３は、ヒートローラ６１が設けられた移動体６４と、ヒートローラ６１がリライタブル印字媒体２００に圧接する位置とヒートローラ６１がリライタブル印字媒体２００を圧接しない位置との間で移動体６４を移動させる駆動部としての第１のソレノイド６５と、を有する。したがって、第１のソレノイド６５によってヒートローラ６１をリライタブル印字媒体２００から離間させることができる。
【００５７】
なお、本発明は、上記各実施形態に限ることなく本発明の要旨を逸脱しない範囲で他の実施形態を各種採用することができる。例えば、上記実施形態では、異常判定手段が異常が発生したと判定した場合、制御手段が、搬送部にだけ、リライタブル印字媒体に対するヒートローラの圧接を解除する解除動作（この場合は強制排出動作）を行わせたり、搬送部と消去部との両方にその解除動作（消去部にあっては熱源退避動作）を行わせる例を説明したが、これらに限るものではない。制御手段が、消去部だけにその解除動作を行わせても良い。つまり、制御手段は、異常判定手段が異常が発生したと判定した場合、消去部と搬送部とのうちの少なくとも一方に、リライタブル印字媒体に対するヒートローラの圧接を解除する解除動作を行わせるものである。
【００５８】
また、上記各実施の形態では、スプリングが、対向ローラをヒートローラに向けて付勢している例を説明したが、これに限るものではなく、例えば、スプリングによってヒートローラを対向ローラに向けて付勢しても良い。また、対向ローラとヒートローラとの少なくとも一方の外周部を弾性部材で構成して上記各スプリングの代わりとしても良い。更には、上記の各構成を適宜組み合わせて良い。
【００５９】
また、上記各実施の形態では、移動体６４が退避位置に位置した場合、ヒートローラが、リライタブル印字媒体から離間した位置に位置する例を説明したが、これに限るものではなく、この場合、ヒートローラはリライタブル印字媒体に当接していても良い。
【符号の説明】
【００６０】
１…プリンタ
１１…発行部
２２…消去部
２４…印字部
２５…搬送部
２６…搬送路
５２…搬送ローラ
６１…ヒートローラ（発熱体）
６２…対向ローラ
６３…支持機構（圧接部）
１５１…異常判定手段
１５２…制御手段
２００…リライタブル印字媒体
【先行技術文献】
【特許文献】
【００６１】
【特許文献１】特開２００２−２８７５８６公報
【図１】
2011183559.tif 000003
【図２】
2011183559.tif 000004
【図３】
2011183559.tif 000005
【図４】
2011183559.tif 000006
【図５】
2011183559.tif 000007
【図６】
2011183559.tif 000008
【図７】
2011183559.tif 000009